(57)【要約】【課題】本発明は複数の情報のタイトルを表示部に表示し，操作部における表示頁の送り操作に応じて, 表示部に表示する情報データを他の頁の情報データに切替え可能な表示装置に関し，本，雑誌，新聞等の文字情報を任意の狭い空間において，小型な装置の画面に表示させ簡単な操作で選択してページ単位で画面表示して読むことができることを目的とする。【解決手段】送り操作が早送り操作の場合に，該早送り操作により最終的に指定された頁の情報データを，該最終的に指定された頁より前の早送り途中の頁の情報データを表示することなく，表示部に表示可能な制御部を備えるよう構成する。【選択図】図１
2006344237.tif 000002
【特許請求の範囲】
【請求項１】
操作部における表示頁の送り操作に応じて，表示部に表示する情報データを他の頁の情報データに切替え可能な表示装置において，
前記送り操作が早送り操作の場合に，該早送り操作により最終的に指定された頁の情報データを，該最終的に指定された頁より前の早送り途中の頁の情報データを表示することなく，前記表示部に表示可能な制御部，
を備えたことを特徴とする表示装置。
【発明の詳細な説明】
【技術分野】
【０００１】
本発明は表示装置に関する。
【０００２】
一般に，情報の伝達媒体として紙による印刷物が広く利用され，書店に出回る雑誌や図書の数は増大し，少量，多品種に及ぶ書籍の出版及び配送にコストと時間を要している。また，世界的な環境，資源の保護が叫ばれ，森林保護のための木材の伐採の制限や，木材輸出の抑制等の動きがあり，今後木材の不足により紙の生産が制限され，本による情報の流通が制限される恐れがあり，書籍の形で情報を保持することは発行者にかかる出版コスト，流通コストとの問題と共に書籍購入者による保管のスペースの問題がある。
【０００３】
また，印刷メディアの他に放送メディアとしてテレビジョン，ラジオ等の画像，や音声が用いられるが，これらはリアルタイム性の情報を提供することができるが，一過性のものである，記録として残すには録画装置や録音装置が必要である。
【０００４】
これらの点から各種の情報（書籍，雑誌，新聞，各種のデータベースにより提供される情報等）を紙を用いることなく，各個人が好きな時間に読むことができることが望まれている。
【背景技術】
【０００５】
近年，紙を使わない活字メディアとしてコンピュータを用いデータの形態で情報を加工，保持及び出力する方法を採用することによりペーパーレス時代を迎えつつある。印刷メディアでみれば，印刷物に記録された文章やデータはデータベースに蓄積され，電子形態で執筆，編集，配布が行われつつある。
【０００６】
また，手書きメディアであったノートやメモは，ワードプロセッサや電子メモに書かれ，手紙については電子郵便や電話，ファックスにより伝送されるようになりつつある。このような中で出版業界における，新聞，雑誌，書籍の電子出版（印刷物の内容を光ディスクのような記憶媒体に入力して販売する）は，流通の形態を根底から覆すと予想される。
【０００７】
一方，情報の入手方法としてテレビジョン，ラジオ等の画面または音声を目または耳を通して得る方法もあるが，これらはリアルタイム性で優れているが，一過性のもので，これを保存するには対応するＶＴＲ，テープレコーダ等の機器に記録する必要がある。この点，印刷メディアの場合，情報内容がそのままの形態で保存され，欲しい時にその情報を引き出すことができる利点がある。
【０００８】
ここで，両者の特徴を生かしたいわゆる電子出版の世界が構築されれば，欲しい情報が瞬時に手に入り，なおかつその内容を残したいと思えば電子記憶媒体に保存することが可能である。現状では，オンライン・データベース・サービスにより市場，商品情報，金融，証券，為替レート，企業財務等のビジネス情報や新聞，雑誌，ニュース，法律，教育等の社会科学・人文関係の領域の情報までが電話回線等の通信回線を利用して使用料と引き換えに入手できるようになっている。ところが，これらの情報のうち，音声によらずデータの形態で受け取る場合には，回線に接続した特定端末により入手して表示する場合が多い。このため，利用者が任意の場所で，任意の時間に情報を見ることができない。
【０００９】
これに対応する方法として，情報の販売装置のようなものを随所に設けて，料金を払うことにより各個人の端末または記録媒体に情報を書き込むようにし，各個人がその記録媒体を携帯する機器により好きな時に見るようにする方法が考えられる。そのような情報の販売装置を実現することは技術的には可能であり，また情報を記録した記憶媒体を新聞等と同じ売店で販売する方法も考えられる。
【００１０】
また，従来の雑誌や単行本（あらゆるジャンルの文字を用いた本）等の書籍等も，本の形態ではなく電子的な記憶媒体にデータとして記憶して販売することにより，個人が携帯する機器により好きな時に見ることができる。
【００１１】
従来の電子手帳等の携帯型の入出力装置は，予め決められた辞書等のカード（ＲＯＭ）を参照したり，キー入力した情報を記憶する記憶用カードの内容を表示することができるが，記憶媒体に格納された多量のページを含む文書を簡易に操作して任意の個所の情報を希望する形態で表示する等の表示制御を行う機能は備えていない。
【発明の開示】
【発明が解決しようとする課題】
【００１２】
ところが，従来はこのような各種の情報を記録した記録媒体を装着して個人が携帯して任意の場所で見て，必要な頁の情報を選択する等の制御を行うことができる表示装置が存在しなかった。
【００１３】
従来の電子手帳等の携帯型の装置は，予め決められた辞書等のカード（ＲＯＭ）を参照したり，キー入力した情報を記憶する記憶用カードの内容を表示することができるが，記憶媒体に格納された多量のページを含む文書を簡易に操作して任意の個所の情報を希望する形態で表示する等の表示制御を行う機能は備えていない。
【００１４】
本発明は本，雑誌，新聞等の文字情報を任意の狭い空間において，小型の表示画面に表示させ簡単な操作で選択してページ単位で画面表示してページ切替えにより順次読むことができる表示装置を提供することを目的とする。
【課題を解決するための手段】
【００１５】
図１は本発明の原理構成図である。
【００１６】
図１において，１は携帯型情報表示装置の処理部，２は多数の文字及び絵を表示する液晶等の表示部，３は予め雑誌や，単行本（文庫本）等の情報（絵を含む）を記憶したＩＣカード等のメモリカード，４は少なくとも２つのキーから成る操作キー，５は電源スイッチ，６はリセットキー，である。
【００１７】
また，処理部１において，１０は電源入力に対応した処理を行う電源入力処理部，１１は初期画面を表示し表示文字の大きさの選択や複数の文章の選択等の処理を行う初期設定処理部，１２はメモリカードに記憶された複数項目の情報から一つを選択したり，以前に読んだページを取り出して表示するための処理を行うページ管理処理部，１３はページ管理処理部１２の指示により表示された画面に対して操作キーの操作に応じてページ単位で切替えて対応する画面の表示制御を行う画面制御処理部，１４は表示を終了するための処理を行う終了処理部，１５は強制リセット部，１６は電池電圧確認処理部，１７はオートパワーオフ処理部である。
【００１８】
本発明の表示装置は書籍等の情報が書き込まれたＩＣメモリカードを装置に装着すると表示部の画面に初期画面を表示し，表示条件や複数の情報の中から見たい情報（文章）を操作キーを用いて選択するとその文章が指定された表示条件で表示部の画面にページ単位で表示され，キーを操作して順次各ページが表示される。また，文章の途中のページで読むことを終了すると，そのページを保存して後で再度同じページを呼び出すものである。
【００１９】
メモリカード３を装置本体に挿入してメモリカード装着部（後述する図２参照）に装着して電源スイッチ５をオンにすると，処理部１内の電源入力処理部１０が起動して，システムを立ち上げてメモリカード３の装着状態をチェックして良好であれば，初期設定処理部１１を起動する。初期設定処理部１１は画面制御処理部１３を介して表示部２に初期メッセージを表示する。ここで，操作キー４の一つを操作すると，表示される文字の大きさを選択する画面が表示され，操作キー４の入力に応じて行われ，表示文字の大きさが決まると，以後その大きさで文字が表示される。表示文字の大きさが決まると，ページ管理処理部１２がメモリカード３に書き込まれた情報のタイトル（メモリカード３内に書き込まれた１乃至複数の文章の表題等）を含む選択を行うための画面を選択して画面制御処理部１３に送り，画面制御処理部１３は決められた大きさの文字によりタイトルを表示する。
【００２０】
一方，画面制御処理部１３にはレジュームデータ保持手段１３０が設けられ，画面制御処理部１３は，メモリカード３のぺージの内容を一定時間表示すると（利用者がそのぺージ内容を読んでいるものとして），そのページ情報（タイトル情報と共に）をレジュームデータ保持手段１３０に設定し，通常の読書で使用する「しおり」として機能する。このレジュームデータ保持手段１３０の内容は，順次ページを送る毎に変化するが，電源を切ってもその時の内容が保持される。次の機会に同じメモリカード３の同じタイトルの情報を選択した場合，ページ管理処理部１２は画面制御処理部１３のレジュームデータ保持手段１３０に有効データが設定されていることを検出すると，画面制御処理部１３に対しレジュームデータを用いてページ表示するよう指示する。
【００２１】
上記のタイトルを表示した後，有効なレジュームデータがレジュームデータ保持手段１３０に保持されていない（または無効データ）場合，表示部２の画面に表示されたタイトル画面の各項目に対し操作キー４により移動可能なカーソルが表示され，そのカーソルを移動して操作キー４を操作して一つのタイトルを選択すると，ページ管理処理部１２は該当する文章の先頭のページ（例えば，文書の表紙）を読み出し，表示部２に表示される。
【００２２】
この後，画面制御処理部１３は，ページを送るための操作キー４が押されると，目次のページを表示する。なお，文章の表示状態では２つの操作キーは一方が，次ページを表示する機能を持ち，他方が前のページへ戻る機能を持つ。また，何れの操作キーも押し続けるとページの早送りまたは早戻しを行う。
【００２３】
電源スイッチ５をオフにすると終了処理部１４が装置全体の電源をオフさせ終了させる。この終了処理部１４は，電池電圧確認処理部１６が電池電圧の降下が一定レベル以下であることを検出した場合，警報を出した後に駆動され，更にオートパワーオフ処理部１７は一定時間以上，何らのキー入力が発生しないことを検出すると駆動される。強制リセット部１５は，リセットキー６が操作されると，強制的に現在の各部の状態を初期化して，最初の状態に戻す。
【発明の効果】
【００２４】
本発明によれば各種の情報を格納したメモリカードを装着することにより携帯型で片手で保持及び操作キーの操作を行うことができる情報表示装置を実現することができる。また，メモリカードに新聞，雑誌，文庫本（単行本）等の各種の文字データや絵データを格納した場合に，簡単な操作により必要な項目（タイトル）を選択して，その中の希望するページを選択して表示すると共にページ切替えにより，文章量の多い書籍を任意の場所で表示させて読むことができる。
【００２５】
これにより，仕事の上で必要なビジネス情報，各種の報告書，専門書等の閲読や，趣味としての各種の書籍の読書をすることができる。この場合，印刷された雑誌，書籍等を持つ必要がなく，小型の情報表示装置を片手で持って見ることができるので，狭い空間さえあれば任意の場所（例えば通勤電車内）でも利用することができる。
【００２６】
本発明で使用するメモリカードの情報は，情報の販売端末（または販売点）で有料で書き替え可能なＩＣメモリカードに記録するか，または情報が記録されたＩＣメモリカード自体を販売する形態で入手できる。新聞や，雑誌や一般書籍等もこのような形で頒布された場合，本発明による表示装置により表示して読むことができ，出版関係におけるペーパーレス化の実現を図ることができる。
【発明を実施するための最良の形態】
【００２７】
本発明の第１案は，多数の文字や絵を表示する表示部と，操作キーと各部を制御する処理部を備えた表示装置において，操作キーは，表示部の選択表示画面でカーソルの移動及び表示された複数項目の一つを選択する機能を備えると共に，情報データの表示画面でページを送るか，戻す機能を備えた少なくとも２つのキーを備え，１乃至複数の各タイトルに対応した文章を構成する情報データを所定のフォーマットで書き込んだメモリカードが交換可能に装着されるメモリカード装着部を備え，メモリカードを前記メモリカード装着部に装着して，電源を投入により表示された画面に対し，前記操作キーにより前記メモリカードの情報データのタイトルを選択すると対応する文章をページ単位で表示し，前記操作キーの操作により表示ページが切替えられることを特徴とする表示装置である。第２案は，第１案において，前記処理部は，電源の状態をチェックする電源入力処理部，初期画面を表示及び表示文字の選択を行う初期設定処理部，メモリカードに書き込まれた情報データの各タイトルを含む選択画面を表示し，選択画面の中から一つのタイトルが選択されると対応する情報データの文章を表示する処理を行うページ管理処理部，及び各表示されたページ画面に対し操作キーによるページ送りまたは戻しの入力に応じて該当するページの内容を表示する画面制御処理部を備えることを特徴とする表示装置である。
【００２８】
また，第３案は，上記第２案において，前記初期設定処理部は，メモリカードの装着状態の検出及びメモリカードの属性確認を行い不良の場合，対応するメッセージを表示することを特徴とする表示装置である。第４案では，第２案または第３案において，前記初期設定処理部は，表示文字の大きさを選択する画面を表示し，前記操作キーからの表示文字の大きさを選択する入力に応じてその後にメモリカードの情報データは選択された表示文字の大きさに従い表示する制御を行うことを特徴とする表示装置である。更に，第５案は，第２乃至第４案において，前記画面制御処理部は，各タイトルの情報データをページ単位で表示して途中のページで表示を終了すると該ページを表すデータを記憶するレジュームデータ保持手段を備え，前記ページ管理処理部は，選択画面の中から一つのタイトルが選択されると，前記レジュームデータ保持手段のデータをチェックし，有効データがレジュームデータ保持手段に格納されているとそのページの情報データを表示することを特徴とする表示装置である。第６案は第２乃至第５案において，前記ページ管理処理部及び画面制御処理部は，選択したタイトル内の情報データのページを表示する時，画面上に当該タイトルの全体のページ中の何ページであるかを表示することを特徴とする表示装置である。
【００２９】
図２は実施例の携帯型情報表示装置の外観図である。
【００３０】
図２の(1) は表面図, (2) は横面図, (3) は裏面図である。２０は情報表示装置の本体であり大きさは片手で把持できる程度である。(1) に示す表面図において, ２１は本体２０の表面の面積の大部分を占有するＬＣＤ（液晶表示器）画面であり，文字を縦または横に多数表示することができる。４〜６（図１の同じ符号に対応）はそれぞれ操作キー，電源キー，リセットキーである。この実施例では操作キー４はこの実施例の場合，４ａ，４ｂの２つのキーにより構成され，この２つのキーは一方がオンの時他方がオフとなるシーソー型のキーとする機構とすることができ，２つのキーの作用は表示画面に対応して変化する。すなわち，複数項目の中から一つを選択する画面では，操作キー４ａは複数の項目の一つを指示するカーソルを移動させる機能を持ち，操作キー４ｂは現在のカーソル位置の項目を選択（決定）する機能を持つ。また，文章を表示する画面では，操作キー４ａは頁送り（現在の頁より後の頁へ進める）機能を持ち，操作キー４ｂは頁戻し（現在の頁より前の頁へ戻す）機能を持つ。
【００３１】
これらの各キー４〜６は本体の表面に配置せず，図２の(2) で点線で示すように本体横面に配置してもよい。その場合，本体を把持する片手で全てのキーを操作することができる。本体の横面には，コントラスト調整ダイヤル２２とＡＣ電源により使用する場合にＡＣアダプターを接続するＡＣアダプター接続口２３が配置され，裏面にはメモリカード３を本体２０内（ＬＣＤ画面２１の裏側の位置）に装着する装着部２４が設けられ，２４ａはメモリカード３を挿入するためのメモリカード挿入口である。また，メモリカード３を排出する時に押されるイジェクトボタン２５及び電池ボックス２６が設けられている。
【００３２】
図３は実施例の携帯型情報表示装置のハードウェア構成図である。
【００３３】
図３において３０は中央演算装置（ＣＰＵ），３１はＣＰＵ３０を駆動するクロックを発生する発振器（ＯＳＣ），３２はキー入力や装置内の制御処理情報を記憶するためのＲＡＭ，３３はＣＰＵ３０による各部の制御処理を行うためのプログラムを格納するプログラムＲＯＭ，３４は表示装置を構成する液晶表示器（ＬＣＤ），３５は液晶表示器を制御するための液晶表示器制御回路（ＬＣＤＣ），３６は内部メモリ及び外部メモリから読み出した情報データを表示器へ出力画面データとして展開するための表示用ＲＡＭ（ＶＲＡＭ），３７はメモリカードから読み出した情報を文字として表示するためのフォントデータを内蔵した漢字ＲＯＭ，３８は操作部（操作キー４，電源スイッチ５，リセットキー６等），３９は操作部３８からの入力を検出してＣＰＵ３０へ通知する制御を行う操作制御部，４０は電源部，４１は電源部の状態を検出したり，電源の各部への供給を制御する電源制御部，４２はメモリカード（ＩＣメモリカード）が装着されるカード部，４３はメモリカードとバスとのインタフェース制御を行うカードインタフェース（ＩＦ），４４は各回路間を接続するデータバス，アドレスバス及び制御線とで構成するバスである。なお，前回読んでいたページが，どの文章の何ページであるかを表すレジュームデータは，上記ＲＡＭ３２内に記憶される。そのため，ＲＡＭ３２は電源を内蔵して記憶保持を行う。
【００３４】
図３の装置構成において，プログラムとして記憶された一連の制御情報に基づいて，電源入力処理，初期設定処理（カード判定処理，表示文字選択処理），ページ管理処理（データ選択処理）及び画面制御処理（レジュームデータ処理を含む）を経て，装置の画面表示イメージに合わせて，カード内の所定情報を表示する。
【００３５】
メモリカードは，バックアップ電源を備えたＩＣカード，ＳＲＡＭ，または電源を持たないＲＯＭ等，各種のメモリカードを用いることができ，ＩＣカードやＳＲＡＭ等の書き替え可能なメモリカードは，雑誌，書籍，新聞や情報サービスにより受けた情報（文字データや絵データ）が頁単位で操作できる形式で書き込まれ，読み終わったら別の情報を上書きすることにより同じカードを異なる情報を表示するために何回も使用できる。メモリカードの記憶容量は，例えば通常の文庫本であれば数冊分の情報が格納できる程度あるものとする。メモリカードの内部情報の構成は予め統一すればよいが，基本的な構成例を図４に示す。
【００３６】
図４はメモリカードの内部情報の構成例であり，図４の(1) は全体の構成を示し，メモリカードの先頭には管理テーブル情報が格納され，その後にタイトル１ヘッダ情報とタイトル１情報（文章等のデータ）が格納され，以下同様にタイトルＮのヘッダ情報，タイトルＮ情報まで順次格納されている。管理テーブル情報は図４の(2) に示すようにカード種別や容量等を含むカード個別情報，カード初期化情報, 初期化メーカ情報, カード管理情報等が格納されている。また，各タイトルヘッダ情報の内容は図４の(3) に示すように, 情報管理番号, 情報のタイトル, データ容量及びデータ表示形式（文章を縦書で表示するか，横書きで表示するか）等が格納されている。
【００３７】
本発明の情報表示装置による表示制御は上記図３のハードウェア構成において，プログラムＲＯＭ３３に基づいてＣＰＵ３０の処理動作及び各制御部（ＬＣＤＣ３５，操作制御部３９，電源制御部４１等）との相互の動作により実行される。
【００３８】
上記図１に示す各処理部（図１の１０〜１７）の機能を実現する処理フローを図５乃至図１４に示し，以下に情報表示装置における全体の動作と共に各処理フローを説明する。
【００３９】
図５は電源入力処理のフローである。この処理は図１の電源入力処理部１０の機能に対応し，最初にメモリカードをカード挿入口（図２の２４ａ）に挿入し（図５のＳ１），電源スイッチ（図２の５）がオンになると（図５のＳ２），システム立上げが開始されて，レジューム用メモリ（図１のレジュームデータ保持手段１３０に対応し，図３のＣＰＵ３０に設けられている）以外のメモリおよびレジスタをＣＰＵ自身がリセットする（図５のＳ３）。次にカード検出動作を行い，正しくカードが挿入されたか判断し（同Ｓ４），正しく装着されていないと，カード装着不良メッセージ（プログラムＲＯＭ３３に格納）の表示を行う（同Ｓ５）。この表示画面の例をＧ１として図１３のＡ．に示す。
【００４０】
さらに，電源キー操作（オフへの操作）の有無を判別し（同Ｓ６），無い場合はオートパワーオフ（一定時間待ってパワオフ）の制御を行い（同Ｓ７），電源キー操作があると電源オフの制御を行う（同Ｓ８）。
【００４１】
図６は初期設定処理におけるメモリカードの属性確認処理フローである。図６の処理は上記図１の初期設定処理部１１の機能の一部であり，上記図５において，カードが正しく挿入されていることが分かると，続いて初期設定処理が開始され，ここではメモリカードがこの情報表示装置が扱うことができる正当なカードであるかを判別する。最初に，初期メッセージ表示を行う（図６のＳ１），この表示された画面の例を図１３のＢ．に示す。次にカード属性情報の確認を行う（同Ｓ２）。この属性確認は，メモリカードの内部情報（図４の(1))を識別することにより行われ，この例では電子本用カード属性が設定されているか判別する（図６のＳ３）。なお，電子本用カード属性とは，この発明の情報表示装置に使用する新聞，雑誌，単行本等の情報を記憶したカードであり，他の目的のメモリカードと区別するためにこの判別を行う。電子本用カードの属性でない場合は，カード不良メッセージを出力し（同Ｓ４），上記図５のＳ６〜Ｓ８と同様の処理（図６のＳ５〜Ｓ７）が行われる。この場合に表示される不良メッセージの例を図１３のＣ．に示す。
【００４２】
図７は初期設定処理における表示文字決定の処理フローである。この処理も図１の初期設定処理部１１の機能の一部である。
【００４３】
上記図６において，電子本用カード属性が確認されると，ぺージ送りキー（図２の操作キー４の中の一つの操作キー４ａ）を操作すると（図７のＳ８），文字表示選択画面の表示が行われる（同Ｓ９）。この画面の表示例を図１３のＤ．に示す。この例では，「たくさん見える」と「きれいに見える」となっているが，前者は表示文字を小さくして１画面に多くの文字を表示するという意味で，後者は表示文字を大きくして１画面に少ない文字を表示するという意味であり，この２つのメッセージの上部の一方に，この例では「きれいに見える」の上にカーソル（■で表示，□は未表示）が表示されており，利用者は頁送りキー（図２の操作キー４ａ）を押すとカーソルを移動させることができ，頁戻しキー（図２の操作キー４ｂ）を操作すると決定を指示することができる。
【００４４】
文字表示選択画面が，表示された状態でキー入力待ち状態となり（図７のＳ１０），図１３のＤ．の状態で操作キーを入力すると識別が行われ（同Ｓ１１），頁戻しキー（図２の４ｂ）の入力であることが分かると，大きな文字である２４ドットフォントの選択を決定する（図７のＳ１２）。頁送りキー（図２の４ａ）の入力の場合は，小さい文字である１６ドットフォントを選択する画面（カーソルが移動した状態）となってキー入力を待つ（図７のＳ１３）。この後，入力識別を行い（同Ｓ１４），頁送りのキー入力を識別するとＳ１４，Ｓ１５の処理が行われ，頁戻しキーの入力を識別すると１６ドットフォントの選択が決定し（同Ｓ１６），タイトル選択画面が表示される（同Ｓ１７）。
【００４５】
このタイトル選択画面の表示例を図１４のＡ．に示す。この画面でも，フォント選択，前頁への戻り（この場合，何も実行しない）や，次頁への送り等が可能である。
【００４６】
図８はぺージ管理の処理フロー，図９はページ管理処理内のデータ選択の処理のフローである。図８の処理は図１のページ管理処理部１２の機能に対応する。上記図７におけるタイトル選択画面の表示に引き続いて実行され，最初にデータ選択処理が行われる（図８のＳ１）。
【００４７】
このデータ選択処理の詳細は図９に示され，これを説明すると，図１４のＡ．に示すようなタイトル選択画面（目次の１ページ目）では，メモリカードに格納された複数の情報（小説等）のタイトルが表示され画面上部のサービスエリアにはページ（全体のページがＢＢＢＢ，現在のページがＡＡＡＡで表示）と「選択して下さい」という選択メッセージが表示されている（図９のＳ１００）。また，タイトル選択画面が，１頁だけでは足りない場合複数頁に分割されているので，他の頁のタイトルを見たい場合，「前頁へ」や「次頁へ」の選択項目が表示されている。この表示状態でキー入力待ち状態となり（同Ｓ１０１），操作キーによりカーソル戻し（頁戻しキー４ｂが押される）があるか判断し（同Ｓ１０２），カーソル戻しの場合は現在のカーソルが表示しているタイトルが選択されたものとして決定される（同Ｓ１０３）。
【００４８】
カーソル戻しが発生しないと，表示画面の「前頁へ」または「次頁へ」にカーソルが位置した時に操作キー４ｂによりカーソル戻しがあるか判断し（同Ｓ１０４），該当する場合は前頁または次頁の選択画面を表示してその最初のタイトルの上にカーソルを移動する（同Ｓ１０５）。カーソル戻しが無い場合は，表示画面の先頭タイトルへカーソルを移動し（同Ｓ１０６），ステップＳ１０２へ戻って選択タイトルの決定が行われるまでそれ以降の処理が繰り返される。
【００４９】
上記の図９のデータ選択の処理フローでタイトルが決定すると，図８のステップＳ１の処理が実行され，選択されたタイトルの情報（文章）についてコピー防止機能の確認や正当性をチェックし（図８のＳ２），不良と判断されると，サービスエリア（画面上部）に文章不良（不正）を表すメッセージを表示する（図８のＳ３）。例えば，サービスエリアに「この文章は読めません」というメッセージを表示する。
【００５０】
この後，データ選択処理に戻り，他のタイトルの選択を実行する。適正な場合は，レジューム情報（ＣＰＵ３０が保持）が有効（無効な頁数値ではない）か判別し（同Ｓ４），有効な場合はレジュームデータ（図３のＣＰＵ３０が管理するＲＡＭ３２の電源付の記憶領域に格納）の引き出しを行い（同Ｓ８），データに含まれたタイトルの文章の中のページ数を表示すると共に（同Ｓ９），該当するページの記憶情報を画面表示する（同Ｓ１０）。この後，画面制御処理（図１０）に移行する。上記Ｓ４においてレジュームデータが有効でない場合，選択された項目のタイトル（表紙）を表示する（同Ｓ５）。この後，ページ送りキーが入力すると（同Ｓ６），次の第２ページ，すなわち目次が表示され（同Ｓ７），画面制御処理へ移行する。この時のタイトル表示の画面例を図１４のＢ．に示し，目次表示の画面例を図１４のＣ．に示す。
【００５１】
図１０は画面制御の処理フローである。図８において，レジュームデータの引き出し（図８のＳ８）があった場合及び選択されたタイトルの表示が行われた場合に，○内４の経路で図１０のステップＳ１においてページ送り・戻し入力を待つ（頁送りは操作キー４ａ，頁戻しは操作キー４ｂの入力）。
【００５２】
入力があると，早送り・早戻し状態（１秒以上，キーが継続して押される）の検出を行い（図１０のＳ２），検出を行った後（１秒以上経過した後），早送り・戻しが検出された場合及び検出されない場合の何れでも，ページ送りかページ戻しの何れのキー入力か判別する（同Ｓ３）。この判別結果がページ送りか，ページ戻しかに応じて，ページカウンタを＋１または−１する（同Ｓ４，Ｓ５）。
【００５３】
ページ送りの場合はラストページに達したか判別し（同Ｓ６），ページ戻しの場合はページ１に達したか判断し（同Ｓ７），それぞれ達しないと上記Ｓ３における検出結果に基づいて早送り・戻し状態をチェックし（同Ｓ８），早送り・戻し状態であればステップＳ３に戻り，同じ動作を繰り返す。早送り・戻し状態でない時，及びページ戻しでページ１に達するとレジューム機能を実行し，レジュームデータを更新する（同Ｓ９）。この場合，選択したタイトルと頁の数値をレジュームデータとして格納する。続いて，ページ表示（画面のサービスエリア）を行って（同Ｓ１０），対応するページの情報（メモリカード）を画面表示する（同Ｓ１１）。
【００５４】
ページ送りにおいて，ラストページに達した場合（Ｓ６），頁送りキーが復帰したか判断し（同Ｓ１２），復帰するとタイトル選択画面に復帰し（同Ｓ１３），○内５の経路で図８のＳ１（図９）のデータ選択処理に戻る。
【００５５】
図１４のＣ．にタイトル画面の次のページ（２頁目）の目次表示の画面の例を示す。更にその後に，本文のページにおける画面の表示例を図１５のＡ．，同Ｂ．に示す。これらは何れも縦書きの文章の表示であり，図１５のＡ．は上記図１３のＤ．における文字表示選択画面において「きれいに見える」（２４ドットフォント）を選択した場合の表示例であり，図１５のＢ．は同じく文字表示選択画面において「たくさん見える」（１６ドットフォント）を選択した場合の表示例である。この状態で頁送りキー（操作キー４ａ）を押すと，次の頁の文章が表示され，頁戻しキー（操作キー４ｂ）を押すと前のページの文章が表示される。
【００５６】
図１１はその他の各機能の処理フローを示す。図１１のＡ．は終了処理のフロー（図１の１４に対応）であり，電源スイッチ（図２の５）のオフ，オートパワーオフ処理により発生した信号，及び電池電圧確認処理により電圧降下の検出が一定時間継続した後発生する信号等により起動し，表示器を含む各部の電源をオフにする。図１１のＢ．は強制リセットの処理フロー（図１の１５に対応）であり，リセットキー（図２の６）によりメモリ・レジスタを初期化して，初期設定処理（図６，図７参照）を開始させる。また，図１１のＣ．は電池電圧確認処理のフロー（図１の１６に対応）であり，電圧降下信号（フラグが立つ）が発生すると，バッテリー交換を指示するメッセージ（例えば，電池を表すマーク）を画面の一部に表示し，一定時間経過すると表示を断にする。
【００５７】
図１２はオートパワーオフの処理フローである。図に示すような処理に，入力待ち状態が一定時間（この例では２分）継続すると，終了処理（図１１のＡ．）を起動する。
【００５８】
図１３〜図１５は情報表示装置により各状態における表示される画面の例（その１）〜（その３）である。図１３のＡ．はカード装着不備メッセージの画面，Ｂ．は初期画面メッセージの画面，Ｃ．は不良メッセージの画面，Ｄ．は表示文字選択画面である。
【００５９】
図１４においてＡ．はタイトル選択画面，Ｂ．はタイトル画面，Ｃ．は目次表示画面である。また，図１５のＡ．は２４ドットフォントを選択した場合の縦書き表示イメージ，Ｂ．は１６ドットフォントを選択した場合の縦書き表示イメージである。これらの文章の表示は，メモリカードのヘッダ情報（図３参照）により横書きで表示できる（タイトルの表示も同様）ことはいうまでもない。
【００６０】
液晶表示器（ＬＣＤ）による表示装置は，図２の(1) に示すように情報表示装置の表面側の面積の大部分を占有し，各キーやスイッチを装置の横面に配置（図２の(2) に点線で示す) すればより大きくすることができる。
【００６１】
図１６に画面容量が異なる表示装置の構成例を示し，Ａ．の例は，２４０×３２０ドット構成で，１６ドットフォントでは，画面全体を使えば１５×２０の文字数を表示でき，２４ドットフォントで１０×１３の文字を表示できる。Ｂ．の例は，６４０×４８０ドット構成で，画面全体を使うと１６ドットフォントでは４０×３０の文字数を表示でき，２４ドットフォントで２６×２０の文字を表示できる。
【００６２】
図１７はメモリカードにおける情報の記録形式を示す。図においてドットで示す各記憶位置に順次文章の文字データを格納し，改行マークが発生しても，その後に次の行の先頭が連続して記憶される。これにより，文字データが効率的に格納され，画面表示の処理において，表示文字の大きさ（フォント）に対応して一画面に表示できる文字数を取り出して，改行マークデータのみで改行するように配列して，表示する。大きい文字（２４ドットフォント）の場合は，一画面に表示できる文章の文字数は小さい文字（１６ドットフォント）に比べて，全部を表示するのに要するページ数（画面の数）は多くなる。また，各文章の表示においてページ数がサービスエリアにＡＡＡＡ／ＢＢＢＢの形式で表示されるが，各表示装置の画面のサイズや表示文字のフォントに対応したページ表示を行う。従って，大きい文字の場合は，本来は小さい文字表示の場合に１ページに入る文章が，複数個の表示画面に分割して表示され，その場合全体頁及び表示頁も変わる。
【図面の簡単な説明】
【００６３】
【図１】本発明の原理構成図である。
【図２】実施例の携帯型情報表示装置の外観図である。
【図３】実施例の携帯型情報表示装置のハードウェア構成図である。
【図４】メモリカードの内部情報の構成例である。
【図５】電源入力処理のフローである。
【図６】初期設定処理におけるメモリカードの属性確認処理フローである。
【図７】初期設定処理における表示文字決定の処理フローである。
【図８】ぺージ管理の処理フローである。
【図９】ページ管理処理内のデータ選択の処理のフローである。
【図１０】画面制御の処理フローである。
【図１１】その他の各機能の処理フローを示す。
【図１２】オートパワーオフの処理フローである。
【図１３】情報表示装置により各状態における表示される画面の例（その１）である。
【図１４】情報表示装置により各状態における表示される画面の例（その２）である。
【図１５】情報表示装置により各状態における表示される画面の例（その３）である。
【図１６】画面容量が異なる表示装置の構成例である。
【図１７】メモリカードにおける情報の記録形式である。
【符号の説明】
【００６４】
１      携帯型情報表示装置の処理部（ＣＰＵ及びメモリ）
２      液晶等の表示部
３      メモリカード
４      操作キー
５      電源スイッチ
６      リセットキー
１０    電源入力処理部
１１    初期設定処理部
１２    ページ管理処理部
１３    画面制御処理部
１４    終了処理部
１５    強制リセット部
１６    電池電圧確認処理部
１７    オートパワーオフ処理部
【図１】
2006344237.tif 000003
【図２】
2006344237.tif 000004
【図３】
2006344237.tif 000005
【図４】
2006344237.tif 000006
【図５】
2006344237.tif 000007
【図６】
2006344237.tif 000008
【図７】
2006344237.tif 000009
【図８】
2006344237.tif 000010
【図９】
2006344237.tif 000011
【図１０】
2006344237.tif 000012
【図１１】
2006344237.tif 000013
【図１２】
2006344237.tif 000014
【図１３】
2006344237.tif 000015
【図１４】
2006344237.tif 000016
【図１５】
2006344237.tif 000017
【図１６】
2006344237.tif 000018
【図１７】
2006344237.tif 000019